(57)【要約】【課題】ロール状媒体を簡易にセットすることができるロール状媒体支持装置及びそのロール状媒体支持装置を備えた記録装置を提供すること。【解決手段】ロール状媒体の両端に嵌め込まれるフランジ部材１１７と、装置本体に固定され、一方の前記フランジ部材を支持する第１ホルダ部材１１３と、前記装置本体に前記ロール状媒体の軸方向に移動自在に設けられ、他方の前記フランジ部材を支持する第２ホルダ部材１１４と、前記第２ホルダ部材の移動を案内するガイド部材１１５とを備え、前記第２ホルダ部材は、前記装置本体と摺動して移動が案内される移動ガイド部４３ａを有する。これにより、従来必要であった長尺のロール軸が不要となるので、異なるサイズのロール状媒体を簡易にセットすることができる。更に、第２ホルダ部材を移動ガイド部に接する装置本体とガイド部材で分散して支えるので、ロール状媒体を高精度にセットすることができる。【選択図】図３
2007261754.tif 000002
【特許請求の範囲】
【請求項１】
ロール状媒体の両端を支持するロール状媒体支持装置であって、
前記ロール状媒体の両端に嵌め込まれるフランジ部材と、
装置本体に固定され、一方の前記フランジ部材を支持する第１ホルダ部材と、
前記装置本体に前記ロール状媒体の軸方向に移動自在に設けられ、他方の前記フランジ部材を支持する第２ホルダ部材と、
前記第２ホルダ部材の移動を案内するガイド部材とを備え、
前記第２ホルダ部材は、前記装置本体と摺動して移動が案内される移動ガイド部を有することを特徴とするロール状媒体支持装置。
【請求項２】
前記移動ガイド部は、前記装置本体に形成されたホルダガイド溝又はホルダガイド突起に嵌る移動ガイド突起又は移動ガイド溝が形成されていることを特徴とする請求項１に記載のロール状媒体支持装置。
【請求項３】
前記第２ホルダ部材は、前記ロール状媒体の幅に合わせて所定位置に位置決めされることを特徴とする請求項１又は２に記載のロール状媒体支持装置。
【請求項４】
前記第２ホルダ部材は、前記ガイド部材にロックするロック機構を有することを特徴とする請求項１〜３の何れか一項に記載のロール状媒体支持装置。
【請求項５】
ロール状の被記録媒体を搬送しつつ記録する記録装置であって、
請求項１〜４の何れか一項に記載のロール状媒体支持装置を備えたことを特徴とする記録装置。
【発明の詳細な説明】
【技術分野】
【０００１】
本発明は、ロール状媒体を両端で支持するロール状媒体支持装置及びそのロール状媒体支持装置を備えた記録装置に関する。
【背景技術】
【０００２】
記録装置の１つであるプリンタには、ロール状に巻回された用紙に記録することができる機能を有するものがある。このようなプリンタは、ロール軸が貫装されたロール紙をロール紙ホルダにセットし、このロール紙を紙送りローラにより引き出して搬送し、記録ヘッドにより記録するようになっている（特許文献１参照）。
【０００３】
【特許文献１】特開２００５−９６９８７号公報
【発明の開示】
【発明が解決しようとする課題】
【０００４】
上述したプリンタでは、ロール紙にロール軸を通す必要があるが、特に幅広のロール紙の場合はロール軸も長尺となるので、広い作業スペースを確保する必要があると共に、当該作業に手間が掛かってセット性が悪化する場合がある。また、ロール軸の軸長に対してロール紙の幅が狭い場合は、ロール紙をセットした状態で偏荷重によりロール軸が撓み易く、ロール紙の斜行の原因となる。
【０００５】
本発明は、上記のような課題に鑑みなされたものであり、その目的は、ロール状媒体を簡易かつ高精度にセットすることができるロール状媒体支持装置及びそのロール状媒体支持装置を備えた記録装置を提供することにある。
【課題を解決するための手段】
【０００６】
上記目的達成のため、本発明のロール状媒体支持装置では、ロール状媒体の両端を支持するロール状媒体支持装置であって、前記ロール状媒体の両端に嵌め込まれるフランジ部材と、装置本体に固定され、一方の前記フランジ部材を支持する第１ホルダ部材と、前記装置本体に前記ロール状媒体の軸方向に移動自在に設けられ、他方の前記フランジ部材を支持する第２ホルダ部材と、前記第２ホルダ部材の移動を案内するガイド部材とを備え、前記第２ホルダ部材は、前記装置本体と摺動して移動が案内される移動ガイド部を有することを特徴としている。これにより、従来必要であった長尺のロール軸が不要となるので、異なるサイズのロール状媒体を簡易にセットすることができる。更に、第２ホルダ部材を移動ガイド部に接する装置本体とガイド部材で分散して支えるので、ロール状媒体を高精度にセットすることができる。
【０００７】
前記移動ガイド部は、前記装置本体に形成されたホルダガイド溝又はホルダガイド突起に嵌る移動ガイド突起又は移動ガイド溝が形成されていることを特徴としている。これにより、移動ガイド部をスムーズかつ高精度に移動させることができる。また、前記第２ホルダ部材は、前記ロール状媒体の幅に合わせて所定位置に位置決めされることを特徴としている。これにより、サイズが異なるロール状媒体を確実に支持することができる。また、前記第２ホルダ部材は、前記ガイド部材にロックするロック機構を有することを特徴としている。これにより、支持したロール状媒体のぐら付きを防止することができる。上記目的達成のため、本発明の記録装置では、ロール状の被記録媒体を搬送しつつ記録する記録装置であって、上記各ロール状媒体支持装置を備えたことを特徴としている。これにより、上記各作用効果を奏する記録装置を提供することができる。
【発明を実施するための最良の形態】
【０００８】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【０００９】
図１は、本発明の記録装置の実施形態の１つであるインクジェット式プリンタの構成例を示す斜視図、図２は、その主要部の内部構成例を示す斜視図、図３は、本発明のロール状媒体支持装置の実施形態を示す斜視図である。このインクジェット式プリンタ１００は、例えばＪＩＳ規格のＡ１判やＪＩＳ規格のＢ１判といった比較的大型のサイズのロール紙（ロール状媒体）にまで記録できる大型のプリンタである。
【００１０】
このインクジェット式プリンタ１００は、図１に示すように、ロール紙がセットされる給紙部１１０、記録・搬送部１２０、排紙部１３０、脚部１４０がこの順で上部から配設された構成となっている。即ち、最上部に配置された給紙部１１０から給紙されるロール紙は、下部にて傾斜して配置された記録・搬送部１２０及び排紙部１３０の間を斜め下方に向かって搬送されて、最下部に配置された脚部１４０の間に配置される図示しない排紙受けに排紙されるようになっている。記録・搬送部１２０と排紙部１３０は本体として一体化されており、給紙部１１０及び脚部１４０とそれぞれ分離可能に構成されている。
【００１１】
給紙部１１０は、図１に示すように、本体１２０、１３０の上部後方に突き出るように設けられている。そして、給紙部１１０の内部には、図２に示すように、１本のロール紙Ｒがセット可能なロール紙ホルダ（ロール状媒体支持装置）１１１が設けられ、給紙部１１０の前面には、図１及び図２に示すように、跳ね上げ式の開閉可能なロール紙カバー１１２が取り付けられている。
【００１２】
ロール紙ホルダ１１１は、図３に示すように、固定フランジ受け（第１ホルダ部材）１１３、可動フランジ受け（第２ホルダ部材）１１４及びガイドレール（ガイド部材）１１５を備えている。固定フランジ受け１１３は、給紙部１１０の一方の側壁側に固定して配設されており、ロール紙Ｒの一端に嵌め込まれたフランジ（フランジ部材）１１７を回転可能に軸支持する。可動フランジ受け１１４は、給紙部１１０の他方の側壁側に可動自在に配設されており、ロール紙Ｒの他端に嵌め込まれたフランジ（フランジ部材）１１７を回転可能に軸支持する。
【００１３】
ガイドレール１１５は、固定フランジ受け１１３と可動フランジ受け１１４の間に配設されており、可動フランジ受け１１４のスライドを案内する。そして、両端にフランジ１１７が嵌め込まれたロール紙Ｒは、ガイドレール１１５上にガイドレール１１５に沿って載置され、両端のフランジ１１７が固定フランジ受け１１３と可動フランジ受け１１４に嵌め込まれて支持されるようになっている。可動フランジ受け１１４は、ガイドレール１１５に沿ってスライド自在であるので、図示一点鎖線で示すサイズが異なるロール紙Ｒであっても支持することができる。
【００１４】
図４は、上記可動フランジ受け１１４の詳細を示す斜視図、図５（Ａ）、（Ｂ）は、その正面図及び側面図である。尚、固定フランジ受け１１３は、固定されている点を除いて可動フランジ受け１１４と同様の構成であるので説明は省略する。この可動フランジ受け１１４は、フランジガイド部４１、支持軸部４２及び移動ガイド部４３が設けられている。フランジガイド部４１は、ガイドレール１１５上にガイドレール１１５に沿って載置されるロール紙の軸方向に延びる帯板状に形成されている。そして、フランジガイド部４１の先端面はテーパ状（以下、テーパ面４１ａという）に形成され、フランジガイド部４１の上面は谷折り状（以下、谷折り面４１ｂという）に形成されている。テーパ面４１ａは、谷折り面４１ｂから先端に向かって下る傾斜した面に形成されており、上記ロール紙に嵌入されているフランジ１１７を掬い上げる機能を有している。谷折り面４１ｂは、谷折り線がロール紙の軸方向に向いた面に形成されており、テーパ面４１ａからのフランジ１１７を支持軸部４２に案内する機能を有している。
【００１５】
支持軸部４２は、支持軸４２ａを支持する支持板４２ｂがフランジガイド部４１の後部に立設されている。支持軸４２ａは、支持板４２ｂに対しフランジガイド部４１側に突出し、かつ回転軸がロール紙の軸方向を向いて回転自在となるように支持されている。移動ガイド部４３は、給紙部１１０を構成するフレーム部材１１６（図７参照）と摺動するフレーム摺動部（移動ガイド部）４３ａと、ガイドレール１１５と摺動するレール摺動部４３ｂを備えている。フレーム摺動部４３ａは、底面にガイド突起（移動ガイド突起）４３ａａが突設されている。このガイド突起４３ａａは、ガイドレール１１５と平行となるようにフレーム部材１１６に形成されているガイド溝（ホルダガイド溝）１１６ａ（図７参照）に嵌め込まれ、可動フランジ受け１１４の移動を案内する。レール摺動部４３ｂは、レールホルダ４３ｂａとガイド突起４３ｂｂがフランジガイド部４１の底面に突設されている。レールホルダ４３ｂａは、ガイドレール１１５（図７参照）を両側から挟み込むように嵌め込まれ、可動フランジ受け１１４の移動を案内する。ガイド突起４３ｂｂは、ガイドレール１１５に形成されているガイド溝１１５ａ（図７参照）に嵌め込まれ、可動フランジ受け１１４の移動を案内する。尚、フレーム摺動部４３ａやレール摺動部４３ｂに設けるガイド突起４３ａａ、４３ｂｂは、ガイド溝として形成しても良く、その場合はガイド溝１１６ａ、１１５ａをガイド突起として形成する。
【００１６】
図６は、上記可動フランジ受け１１４の支持軸及び上記フランジ１１７の支持軸受けの詳細を示す図である。支持軸４２ａは、軸方向に延びる複数（この例では８つ）のリブ（回転規制部）４２ａａが軸本体４２ａｂの円周上に等角度で一体形成されている。そして、リブ４２ａａ及び軸本体４２ａｂの先端は、テーパ状に形成されている。一方、支持軸受け１１７ａは、支持軸４２ａのリブ４２ａａを含む軸本体４２ａｂが挿入可能な穴（回転規制部）１１７ａａが形成されている。このような構成によれば、リブ４２ａａ及び軸本体４２ａｂの先端がテーパ状に形成されているため、可動フランジ受け１１４の支持軸４２ａをロール紙Ｒに嵌め込まれたフランジ１１７の支持軸受け１１７ａに容易に挿入することができる。そして、ロール紙Ｒをロール紙ホルダ１１１にセットした後は、ロール紙Ｒの回転が支持軸４２ａと支持軸受け１１７ａにより規制されるので、ロール紙Ｒの弛みによる巻解けを防止することができる。
【００１７】
図７は、上記給紙部１１０における可動フランジ受け１１４とその周辺部の断面側面図である。給紙部１１０を構成するフレーム部材１１６の傾斜上面１１６ｂには、ガイド溝１１６ａがガイドレール１１５と平行となるように形成されている。そして、このガイド溝１１６ａには、フレーム摺動部４３ａのガイド突起４３ａａが摺動自在に嵌め込まれている。また、ガイドレール１１５の上面１１５ｂには、ガイド溝１１５ａが長手方向に形成されている。そして、このガイド溝１１５ａには、レール摺動部４３ｂのガイド突起４３ｂｂが嵌め込まれている。更に、ガイドレール１１５の両側面１１５ｃには、レール摺動部４３ｂのレールホルダ４３ｂａが挟み込むように嵌め込まれている。このような構成によれば、可動フランジ受け１１４はガイド突起４３ａａとガイド突起４３ｂｂにより案内されるので、可動フランジ受け１１４の移動を高精度かつスムーズに案内することができる。また、ロール紙ホルダ１１１にセットされたロール紙の荷重は、フレーム摺動部４３ａとレール摺動部４３ｂに分散されて掛かるので、ガイドレール１１５の撓みを抑えてロール紙の給送を高精度かつスムーズに行うことができる。
【００１８】
図８及び図９は、上記可動フランジ受け１１４とその周辺部の側面図である。可動フランジ受け１１４の下部には、移動位置決めした可動フランジ受け１１４をロックするロック機構４４が設けられている。このロック機構４４は、ロックレバー４４ａがガイドレール１１５と平行に設けられたレバー軸４４ｂに回転自在に嵌め込まれている。図８に示すように、ロックレバー４４ａを倒しておくことにより、ロックレバー４４ａはガイドレール１１５から離間しているので、可動フランジ受け１１４を移動させることができる。一方、図９に示すように、ロックレバー４４ａを図示矢印方向に回転させて立てることにより、ロックレバー４４ａはガイドレール１１５に当接してレール摺動部４３ｂのガイド突起４３ｂｂをガイドレール１１５のガイド溝１１５ａに押圧するので、可動フランジ受け１１４を任意の位置でロックすることができる。これにより、支持したロール紙のぐら付きを防止することができる。
【００１９】
図１０及び図１１は、ロール紙ホルダ１１１にロール紙をセットする際の動作を説明する図である。図１０に示すように、ロール紙をセットする前に、可動フランジ受け１１４を図示最左端に移動させておく。そして、例えば床面に載置されているロール紙の両端にフランジ１１７を嵌め込み、そのロール紙を両手で抱えて持ち上げ、右側のフランジ１１７を固定フランジ１１３のフランジガイド部３１の谷折り面３１ｂ上に載置すると共に、左側のフランジ１１７をガイドレール１１５上に載置する。このとき、フランジ１１７は外径がロール紙の外径よりも大径に形成されているので、フランジ１１７がガイドレール１１５と当接してロール紙とガイドレール１１５の間に隙間ができるので、ユーザはロール紙を両手で抱えたままロール紙ホルダ１１１にセットすることができる。
【００２０】
そして、可動フランジ受け１１４を図示右方向に移動させ、ロール紙に嵌入されている左側のフランジ１１７をフランジガイド部４１のテーパ面４１ａで掬い上げて谷折り面４１ｂ上で滑らせ、支持軸受け１１７ａ内に支持軸部４２の支持軸４２ａを挿入する。そして、図１１に示すように、可動フランジ受け１１４を図示右方向に更に移動させ、右側のフランジ１１７の支持軸受け１１７ａ内に固定フランジ受け１１３の支持軸部３２の支持軸３２ａを挿入し、ロール紙Ｒのセッティングを完了する。このように、本実施形態のロール紙ホルダ１１１によれば、左右のフランジ１１７を可動フランジ受け１１４と固定フランジ受け１１３に簡易に取り付けることができる。
【００２１】
ロール紙カバー１１２は、図１及び図２に示すように、全体が回動可能に支持されており、ユーザが下部を持って持ち上げ、あるいは押し下げることにより開閉するようになっている。ユーザは、ロール紙カバー１１２の開閉を容易に行うことができ、ロール紙Ｒの交換作業時間等を短縮させることができる。また、ロール紙カバー１１２は、ロール紙ホルダ１１１を覆うように取り付けられているため、ロール紙ホルダ１１１に保持されているロール紙Ｒの汚染を防止することができると共に、ユーザの安全を確保することができる。
【００２２】
記録・搬送部１２０は、図２に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とを繋ぐインクチューブ１２４等を備えている。更に、記録・搬送部１２０は、対向配置された接触・離間可能な図示しない紙送りローラ及び従動ローラ、キャリッジ１２２に搭載された記録ヘッド１２１と対向配置された図示しないプラテン等を備えている。そして、記録・搬送部１２０の上面及び前面には、図１及び図２に示すように、上蓋１２５及び前蓋１２６が記録ヘッド１２１やキャリッジ１２２等を覆うように取り付けられている。
【００２３】
記録ヘッド１２１は、ブラックインクを吐出するブラックインク用記録ヘッドと、ライトイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００２４】
ＦＦＣ１２３は、図２に示すように、一端が制御部のコネクタに接続され、他端が記録ヘッド１２１のコネクタに接続されており、記録信号を制御部から記録ヘッド１２１に送るようになっている。インクチューブ１２４は、上記各色のインク用が配設されており、図示しないインク加圧供給手段を介して各一端が対応する各色のインクカートリッジ１０につながれ、各他端が対応する各色の記録ヘッド１２１につながれている。前蓋１２６は、図１及び図２に示すように、下部が回動可能に支持されており、ユーザが上部を持って押し下げ、あるいは押し上げることにより開閉するようになっている。
【００２５】
紙送りローラは、１本の長尺のローラとして形成されており、両端がサイドフレームに軸受を介して軸支持されており、紙送りモータからプーリ及びベルトを介して伝達される駆動力により正逆回転駆動するようになっている。従動ローラは、複数個の短尺のローラとして形成されており、紙送りローラの上方で軸方向に複数並設された従動ローラ支持部材に回動自在に軸支持されている。プラテンは、記録可能な最大用紙幅より若干大きい長さの矩形平板状に形成されて紙送りローラの搬送下流側の直近に配設されている。
【００２６】
排紙部１３０は、図１及び図２に示すように、ロール紙を副走査方向に搬送する経路の一部を成す排紙ガイド１３１と、ロール紙を副走査方向に搬送する図示しない排紙ローラを備えている。脚部１４０は、図１及び図２に示すように、移動用のコロ１４１を有する２本の支持柱１４２と、これらの支持柱１４２の間に掛け渡されている補強棒１４３を備えている。そして、支持柱１４２の上部に給紙部１１０及び本体１２０、１３０が載置されネジ止め固定されるようになっている。
【００２７】
更に、本体１２０、１３０の前面側から見て左側には、図１及び図２に示すように、各色のインクカートリッジ１０を収納保持するホルダ本体１５１とその前面を覆うカバー１５２を有するインクカートリッジホルダ１５０が配設されている。また、本体１２０、１３０の前面側から見て右側上部には、図１及び図２に示すように、ユーザが記録制御等を操作するための操作パネル１６０が配設されている。この操作パネル１６０は、図示しない制御部と電気的に接続された液晶画面と各種ボタンが配設されており、ユーザが液晶画面を見て確認しながらボタン操作できるようになっている。
【００２８】
以上のように、本実施形態のロール紙ホルダ１１１によれば、ロール紙の両端に嵌め込まれるフランジ１１７と、プリンタ本体に固定され、一方のフランジ１１７を支持する固定フランジ受け１１３と、プリンタ本体にロール紙の軸方向に移動自在に設けられ、他方のフランジ１１７を支持する可動フランジ受け１１４と、可動フランジ受け１１４の移動を案内するガイドレール１１５を備えているので、従来必要であった長尺のロール軸が不要となり、サイズの異なるロール紙を簡易にセットすることができる。更に、可動フランジ受け１１４は、プリンタ本体と摺動して移動が案内されるフレーム摺動部４３ａを有しているので、可動フランジ受け１１４をフレーム摺動部４３ａに接するフレーム部材１１６とレール摺動部４３ｂに接するガイドレール１１５で分散して支えることができ、ロール紙を高精度にセットすることができる。
【産業上の利用可能性】
【００２９】
ロール状媒体を使用する記録装置であれば、例えばファクシミリ装置、コピー装置等であっても適用可能である。
【図面の簡単な説明】
【００３０】
【図１】本発明の記録装置の実施形態の１つであるインクジェット式プリンタの構成例を示す斜視図である。
【図２】図１のインクジェット式プリンタの主要部の内部構成例を示す斜視図である。
【図３】本発明のロール状媒体支持装置の実施形態を示す斜視図である。
【図４】図３のロール状媒体支持装置の可動フランジ受けの詳細を示す斜視図である。
【図５】図４の可動フランジ受けの正面図及び側面図である。
【図６】可動フランジ受けの支持軸及びフランジの支持軸受けの詳細を示す図である。
【図７】給紙部における可動フランジ受けとその周辺部の断面側面図である。
【図８】可動フランジ受けとその周辺部の第１の側面図である。
【図９】可動フランジ受けとその周辺部の第２の側面図である。
【図１０】ロール紙ホルダにロール紙をセットする際の動作を説明する第１の図である。
【図１１】ロール紙ホルダにロール紙をセットする際の動作を説明する第２の図である。
【符号の説明】
【００３１】
４１  フランジガイド部、４２  支持軸部、４３  移動ガイド部、４３ａ  フレーム摺動部、４４  ロック機構、１００  インクジェット式プリンタ、１１０  給紙部、１１１  ロール紙ホルダ、１１３  固定フランジ受け、１１４  可動フランジ受け、１１５  ガイドレール、１１６  フレーム部材、１１７  フランジ、１２０  記録・搬送部、１３０  排紙部、１４０  脚部、１５０  インクカートリッジホルダ
【図１】
2007261754.tif 000003
【図２】
2007261754.tif 000004
【図３】
2007261754.tif 000005
【図４】
2007261754.tif 000006
【図５】
2007261754.tif 000007
【図６】
2007261754.tif 000008
【図７】
2007261754.tif 000009
【図８】
2007261754.tif 000010
【図９】
2007261754.tif 000011
【図１０】
2007261754.tif 000012
【図１１】
2007261754.tif 000013